(57)【要約】【課題】毛髪の絡みつきを低減するとともにコストを削減できる電気掃除機用吸込口体及び電気掃除機を提供する。【解決手段】被掃除面に対峙する吸込口１１ａを開口する筐体１１と、筐体１１に軸支して被掃除面上を転動するローラー１２とを備えた電気掃除機用吸込口体１において、ローラー１２は、断面円形に形成された回転自在の基体１３と、筒状に織って形成される布帛または筒状に編んで形成される布帛から成るとともに基体１３の周面に被せられる外周部１４とを有する。【選択図】図３
2011143007.tif 000002
【特許請求の範囲】
【請求項１】
被掃除面に対峙する吸込口を開口する筐体と、前記筐体に軸支して被掃除面上を転動するローラーとを備えた電気掃除機用吸込口体において、前記ローラーは、断面円形に形成された回転自在の基体と、筒状に織って形成される布帛または筒状に編んで形成される布帛から成るとともに前記基体の周面に被せられる外周部とを有することを特徴とする電気掃除機用吸込口体。
【請求項２】
複数の糸が撚られた撚糸により前記外周部を形成したことを特徴とする請求項１に記載の電気掃除機用吸込口体。
【請求項３】
前記外周部が複数の層から成り、内周側の層を所定温度で溶融する溶融糸により形成して前記溶融糸の溶融によって前記外周部が前記基体に固着されることを特徴とする請求項１または請求項２に記載の電気掃除機用吸込口体。
【請求項４】
前記外周部がナイロンまたはフッ素樹脂の糸により形成されることを特徴とする請求項１〜請求項３のいずれかに記載の電気掃除機用吸込口体。
【請求項５】
請求項１〜請求項４のいずれかに記載の電気掃除機用吸込口体を備えたことを特徴とする電気掃除機。
【発明の詳細な説明】
【技術分野】
【０００１】
本発明は、被掃除面を転動するローラーを有した電気掃除機用吸込口体及びそれを用いた電気掃除機に関する。
【背景技術】
【０００２】
従来の電気掃除機用吸込口体は特許文献１に開示されている。この電気掃除機用吸込口体は吸込口を開口する筐体にローラーが軸支される。ローラーは筐体に軸支されるエラストマ等の基体上に摩擦抵抗の小さい軟質ポリエチレン等の合成樹脂から成る外周部が設けられる。電気掃除機用吸込口体はローラーが床面を転動して前後に移動し、吸込口から床面の塵埃を吸引する。
【０００３】
上記の電気掃除機用吸込口体は外周部が軟質ポリエチレン等により形成されるため耐摩耗性が低く、外周部の摩耗によって基体が露出して被掃除面を傷つける問題がある。
【０００４】
また、特許文献２にはローラーの外周部をポリエチレン等の不織布に樹脂を含浸させて形成した電気掃除機用吸込口体が開示される。これにより、外周部の耐摩耗性を向上して基体の露出を低減することができる。
【０００５】
また、ローラーの基体の周面に耐摩耗性の高いナイロン等の繊維を静電植毛して外周部を形成した電気掃除機用吸込口体も知られている。この電気掃除機用吸込口体によると、外周部の耐摩耗性を向上することができる。また、外周部が先端が開放された繊維から成るため、外周部の摺動による被掃除面の傷付きを低減することができる。
【先行技術文献】
【特許文献】
【０００６】
【特許文献１】特開２００１−２５２２２５号公報（第２頁−第３頁、第２図）
【特許文献２】特許第４１１５３８２号公報（第５頁−第１８頁、第１図）
【特許文献３】特開２００７−３１３１７９号公報（第３頁−第５頁、第１図）
【発明の概要】
【発明が解決しようとする課題】
【０００７】
しかしながら、上記特許文献２に開示された従来の吸込口体によると、不織布に樹脂を含浸させるためローラーのコストが大きくなる問題があった。また、外周部を形成する不織布の繊維の先端がローラーから突出し、毛髪等が絡みついてローラーを容易に清掃できない問題もあった。
【０００８】
また、基体の周面に繊維を静電植毛して外周部を形成する場合も同様に、先端が開放された繊維に毛髪等が絡みついてローラーを容易に清掃できない問題があった。
【０００９】
本発明は、毛髪の絡みつきを低減するとともにコストを削減できる電気掃除機用吸込口体及び電気掃除機を提供することを目的とする。
【課題を解決するための手段】
【００１０】
上記目的を達成するために本発明は、被掃除面に対峙する吸込口を開口する筐体と、前記筐体に軸支して被掃除面上を転動するローラーとを備えた電気掃除機用吸込口体において、前記ローラーは、断面円形に形成された回転自在の基体と、筒状に織って形成される布帛または筒状に編んで形成される布帛から成るとともに前記基体の周面に被せられる外周部とを有することを特徴としている。
【００１１】
この構成によると、被掃除面をローラーが転動して被掃除面に対峙する吸込口から塵埃が吸い込まれる。ローラーは電気掃除機用吸込口体の筐体に軸支される基体の周面に外周部が配される。外周部は筒状に織られた布帛または筒状に編まれた布帛から成るため周面に継ぎ目がなく、ローラーが被掃除面上を円滑に転動する。また、外周部から先端が開放された繊維が突出しないため毛髪等の絡みつきが防止される。
【００１２】
また本発明は、上記構成の電気掃除機用吸込口体において、複数の糸が撚られた撚糸により前記外周部を形成したことを特徴としている。
【００１３】
また本発明は、上記構成の電気掃除機用吸込口体において、前記外周部が複数の層から成り、内周側の層を所定温度で溶融する溶融糸により形成して前記溶融糸の溶融によって前記外周部が前記基体に固着されることを特徴としている。この構成によると、外周部の形成する筒状の布帛が基体に被せられ、外周部の内周側の溶融糸を溶融して外周部と基体とが溶着される。
【００１４】
また本発明は、上記構成の電気掃除機用吸込口体において、前記外周部がナイロンまたはフッ素樹脂の糸により形成されることを特徴としている。
【００１５】
また本発明の電気掃除機は、上記各構成の電気掃除機用吸込口体を備えたことを特徴としている。
【発明の効果】
【００１６】
本発明によると、筒状に織って形成される布帛または筒状に編んで形成される布帛から成る外周部を基体の周面に被せて容易にローラーを形成することができ、電気掃除機用吸込口体及び電気掃除機のコストを削減することができる。また、外周部の周面から繊維が突出しないため、毛髪の絡みつきを防止することができる。加えて、外周部の周面に布帛の継ぎ目が形成されないため、外周部の剥がれを防止できるとともに、継ぎ目による段差が形成されないので電気掃除機用吸込口体を円滑に移動させることができる。
【図面の簡単な説明】
【００１７】
【図１】本発明の実施形態の電気掃除機を示す側面断面図
【図２】本発明の実施形態の電気掃除機の吸込口体を示す底面図
【図３】本発明の実施形態の電気掃除機の吸込口体のローラーを示す側面断面図
【図４】本発明の実施形態の電気掃除機の吸込口体のローラーの外周部を示す展開図
【発明を実施するための形態】
【００１８】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管６が接続され、延長管６との接続部から分岐して使用者が把持する把持部５が設けられる。延長管６の先端には着脱自在の吸込口体１０が接続される。
【００１９】
図２は吸込口体１０の底面図を示している。吸込口体１０は樹脂成形品から成る平面視略Ｔ字型の筐体１１により覆われ、筐体１１の前部の底面には被掃除面に対峙する矩形の吸込口１１ａが開口する。吸込口１１ａ内には被掃除面に接して回転する回転ブラシ１９が設けられる。吸込口１１ａの両側方及び後方には軸部１２ａで筐体１１に軸支されるローラー１２が設けられる。
【００２０】
ローラー１２が被掃除面を転動して吸込口体１０が被掃除面上を移動し、電動送風機３の駆動によって吸込口１１ａから被掃除面の塵埃が吸い込まれる。吸込口１１ａから吸い込まれた塵埃は延長管６及び接続ホース４を介して本体部２内に集塵される。
【００２１】
図３はローラー１２の断面図を示している。ローラー１２は筐体１１に軸支される断面円形の基体１３上に外周部１４が配される。基体１３はインサート成形により二層に形成され、内周側の支持部１３ｂと外周側の緩衝部１３ｃとを有している。支持部１３ｂはポリアセタール等の硬質部材により形成され、軸部１２ａ（図２参照）が圧入される軸孔１３ａを有している。緩衝部１３ｃはエラストマー樹脂等の軟質樹脂から成る。これにより、緩衝部１３ｃの弾性（クッション性）によってローラー１２を被掃除面に追随させることができる。
【００２２】
図４は外周部１４の展開図を示している。外周部１４は矢印Ａ方向に延びる縦糸１４ａと矢印Ｂ方向に延びる横糸１４ｂとを筒状に織った所謂、筒織りから成る布帛により形成される。図中、白抜き部分が縦糸１４ａの露出部分であり、ドット部分が横糸１４ｂの露出部分である。外周部１４は筒状に織られるため周面に布帛の継ぎ目が形成されず、縦糸１４ａ及び横糸１４ｂの両端は外周部１４の軸方向の端縁に到達する。
【００２３】
そして、筒状の外周部１４は基体１３の周面に被せられ、接着剤（不図示）により接着されている。外周部１４を形成する布帛を基体１３の軸方向の端面まで延びて形成し、基体１３の端面に圧着される止め具等によって外周部１４を基体１３に取り付けてもよい。また、外周部１４を複数層に形成し、内周側の層を所定温度で溶融する溶融糸により形成して溶融糸の溶融によって外周部１４を基体１３に溶着してもよい。これにより、基体１３に外周部１４を容易に固着することができる。
【００２４】
また、縦糸１４ａ及び横糸１４ｂは耐摩耗性の高いナイロンやフッ素樹脂等から成り、複数の糸を撚った撚糸により形成される。これにより、外周部１４の表面に比較的大きな凹凸が形成されるため外周部１４のクッション性が向上してローラー１２を被掃除面により追随させることができる。また、撚糸によって縦糸１４ａ及び横糸１４ｂの強度を向上することができる。
【００２５】
本実施形態によると、筒状に織って形成される布帛から成る外周部１４を基体１３の周面に被せて容易にローラー１２を形成することができ、吸込口体１０及び電気掃除機１のコストを削減することができる。また、外周部１４の周面から繊維が突出しないため、毛髪の絡みつきを防止することができる。加えて、外周部１４の周面に布帛の継ぎ目が形成されないため、外周部１４の剥がれを防止できるとともに、継ぎ目による段差が形成されないので吸込口体１０を円滑に移動させることができる。
【００２６】
本実施形態において、外周部１４は糸を筒状に編んだ所謂、筒編みから成る布帛により形成してもよい。この時、糸は螺旋状に連続し、両端は外周部１４の軸方向の端縁に到達する。これにより、継ぎ目のない布帛によって外周部１４を形成することができる。
【産業上の利用可能性】
【００２７】
本発明によると、被掃除面を転動するローラーを有した吸込口体を備えた電気掃除機に利用することができる。
【符号の説明】
【００２８】
１    電気掃除機
２    本体部
３    電動送風機
４    接続ホース
５    把持部
６    延長管
１０    吸込口体
１１    筐体
１１ａ  吸込口
１２    ローラー
１３    基体
１４    外周部
１４ａ  縦糸
１４ｂ  横糸
１９    回転ブラシ
【図１】
2011143007.tif 000003
【図２】
2011143007.tif 000004
【図３】
2011143007.tif 000005
【図４】
2011143007.tif 000006